(57)【特許請求の範囲】
【請求項１】
裏地付きの伸縮性を有するボトムであって、前記裏地は伸縮性を有する編織地からなり、その上端がボトム身生地のウエスト部に縫着されると共に、裏地の見頃がボトム身生地の身頃縫い合わせ部で縫合され、裏地に、伸縮性を有する編織地からなる補強部が縫着され、
裏地の裾が脚の付根より下方まで延長され、該裏地の裾がヘム組織とされ、該ヘム組織は、端部が裏地の編織組織を構成する耳糸で構成された、縁取りを施す必要のない平滑な組織であることを特徴とするボトム。
【請求項２】
前記ボトム身生地はボトム右身頃とボトム左身頃とから構成され、該ボトム右身頃とボトム左身頃との端部が縫合されることにより、前記身頃縫い合わせ部がボトムの前中心、後中心及び大腿部内側に形成され、
前記裏地は裏地右身頃と裏地左身頃とから構成され、前記身頃縫い合わせ部でボトム身生地に縫合されたことを特徴とする請求項１記載のボトム。
【請求項３】
前記補強部は、略長手方向に伸縮性を有する帯状に形成され、臀部の輪郭に沿って、臀部の下部付近から臀部の側方を通ってウエスト部の脇まで、略円弧状に配置された請求項２記載のボトム。
【発明の詳細な説明】
【０００１】
【発明の属する技術分野】
本発明は、スパッツ、トレンカ、カルソン、ジョッパーズ、水着等のボトムに関する。
【０００２】
【従来の技術】
スパッツ等の伸縮性があって体にフィットするボトムは、動作が規制されないので着心地がよく、スポーツ等の激しい運動にも適しているが、着用時、ボディラインが外観に表れてしまうという欠点がある。着用者は、スパッツの中にガードル等の体形補整下着を重ね着して、体形の歪みを隠していたが、下着を重ねて着なければならないという煩わしさがあった。
【０００３】
そこで、体形補整機能を持たせた裏地をボトム身生地の裏面に縫着したボトムがある。例えば、伸縮性があって帯状に形成された裏地を、ヒップの下縁に沿ってボトムの裏面に縫い合わせたものがある。重ね着をしなくても、ボトムを着用するだけで、体形を補整することができる。
【０００４】
ところが、裏地は、その周縁がボトムの裏面に直接、縫着されているので、縫い目がボトム表面に表れてしまうという欠点がある。そのため、部分的に縫い合わせて外観に表れる縫い目を減らし、縫い合わせた部分以外の縁は、切断面が露出しているため、糸抜け防止の手段として一般的にオーバー縫い等で縁取りを施していた。
【０００５】
【発明が解決しようとする課題】
しかしながら、上記の方法では、縁取りを施した部分が分厚くなってしまい、結局、その分厚くなった部分がボトムの外観に現れてしまう。それを抑えるために、ボトム身生地が肉厚のものに制限されてしまい、素材のバラエティーに欠け、幅広い素材を使用できなかった。また、縁取りの部分が体にくい込んでしまい、跡が残ってしまったり、血流を悪くする等の弊害があった。
【０００６】
そこで、本発明は、上記に鑑み、裏地の縫い目及び裏地の縁のラインがボトムの表面に目立たないようにして、ボトム身生地に薄手の素材等、種々の素材を使用できるボトムを提供することを目的とする。
【０００７】
【課題を解決するための手段】
上記目的を達成するため、本発明は、伸縮性を有する編織地からなる裏地の上端をボトム身生地のウエスト部に縫着し、裏地の裾をヘム組織とした。裏地の上端はボトム身生地のウエスト部に縫着され、下端は平滑なヘム組織とされるので、裏地のどの部分にも縁取りを施す必要がなく、平滑なものとすることができる。したがって、ボトム着用時に裏地の縁のラインが目立ちにくく、ボトム身生地に薄手の素材を採用することが可能となる。また、縁取りを施す必要がないので、作業性の簡素化が図れ、体へのくい込みも発生しない。ここで、ヘム組織とは、ほつれが生じないように端部（耳）が耳糸で構成された平滑な組織であり、端の糸の始末をする必要がない。ヘム組織は、周知の方法で形成されるが、伸縮性編地においては、例えば、実公昭６３−１１１９６号公報等に記載されているような方法で形成される。詳しくは、地編糸組織の両側縁に耳編糸を編成すると共に隣接する地編糸組織の耳編糸間に抜き糸を介在、挿入し、さらに耳編糸側に挿入した弾性糸の一部を抜き糸に絡ませてなる伸縮性経編地を形成する。そして、抜き糸を抜き取ることによって、伸縮性経編地の端部にヘム組織が形成される。
【０００８】
伸縮性を有する編織地とは、編地及び織地を含む概念である。編地の具体例としては、パワーネット、サテンネット又はストレッチネット等のラッセル編地、トリコット編地又はレース編地等が挙げられ、糸の種類、編目の密度等も適宜選択可能である。パワーネットとは、細かいネット状でストレッチ性のある編物であり、伸びた後のキックバック性に優れている。「パワー」とは、締め付け力、締め付け圧等の力を意味し、使用する糸デニールの太さや、編み密度を変える等して調節できる。一般的に、ヘム組織を有するパワーネットは、ヘムパワーネットと呼ばれる。
【０００９】
裏地をボトム身生地の身頃縫い合わせ部で縫合すれば、裏地がボトム身生地に固定されるので、ボトム着用時に裏地がずりあがってくるのを防ぐことができる。ここで、身頃縫い合わせ部は、ボトムの縫製方法によって一般に相違するが、例えば、ボトム身生地が左右２枚の身頃から構成されている場合、裏地も同様に左右２枚の身頃で構成して、ボトム身生地と裏地とを重ねて同時に縫合する。
【００１０】
裏地には、伸縮性を有する編織地からなる補強部が縫着されており、裏地の体型補整機能を補強することができる。伸縮性を有する編織地としては、上記と同様に、パワーネット、サテンネット又はストレッチネット等のラッセル編地、トリコット編地又はレース編地等が挙げられ、糸の種類、編目の密度等も適宜選択可能である。補強部の伸縮方向は、裏地と同一方向に設定して裏地の体形補整力を増大させるようにしてもよいし、異なる方向に設定して、他の部分の体形を矯正するようにしてもよい。
【００１１】
補強部は、臀部、腹部、大腿部等、体形補整機能を補強すべき箇所に設けられる。例えば、臀部に設ける場合は、略長手方向に伸縮性を有する帯状に形成した補強部を、臀部の輪郭に沿って、臀部の下部付近から臀部の側方を通ってウエスト部の脇まで、略円弧状に配置する。補強部は縦方向に伸縮が少ないので、臀部を下方から押し上げて、ヒップアップ効果を発揮できる。
【００１２】
裏地の裾は、脚の付根より下方まで延長する。このように設定すれば、ボトムの中に着用するショーツ等の下端のラインがボトムの外観に表れるのを防ぐことができる。また、裏地の裾が短いと歩行時に裏地の裾がめくりあがってきやすいが、脚の付根より下方まで延長することにより、裾のめくりあがりをおこりにくくできる。
【００１３】
【発明の実施の形態】
以下、本発明の実施の形態を図面に基づいて説明する。図１は、本発明の１実施形態を示すスパッツの表面の正面図、図２は、同じくスパッツの裏面の後面図、図３は、同じくスパッツの左身頃の正面図、図４は、裏地の裾に形成されたヘム組織を示す図である。なお、図２及び図３中の斜線は、ボトム身生地、裏地、補強部のそれぞれを区別するために示したものである。本発明に係るスパッツは、ボトム身生地１と、裏地２と、裏地２に縫着された補強部３とから構成される。
【００１４】
ボトム身生地１は、伸縮性を有する編織地からなる右身頃４と左身頃５とから構成され、裏地２も同様に右身頃６と左身頃７とから構成される。ボトム身生地１は、７分丈に設定されているが、長さは目的に応じて適宜選択可能である。
【００１５】
裏地２は、ナイロン及びポリウレタンを使用してラッセル編み機で編まれ、少なくとも一方の端に図４に示すようなヘム組織８が形成されたヘムパワーネットが使用されるが、へムパワーネットに限らず、伸縮性を有する編織地で少なくとも一方の端にヘム組織が形成されたものであれば適宜選択可能である。裏地２は、縦方向よりも横方向により強く伸縮性を有しており、臀部、腰部、大腿部を適度に締め付ける。伸縮方向や伸縮率を部分的に変えるようにしてもよい。
【００１６】
また、裏地２の長さについては、裾９がボトム身生地１の裾の位置よりも上で、脚の付根よりも下に位置するように設定される。スパッツの中に着用するショーツ等の下着の下端のラインが、ボトム身生地１との間に裏地２を介することで、外観に響くのを防ぐことができる。また、着用時、裏地２の裾９がめくれあがりにくい。
【００１７】
裏地の裏面には、図２及び図３に示すように、略長手方向に伸縮性を有する帯状に形成された補強部３が、臀部の輪郭に沿って、臀部の下部付近から臀部の側方を通ってウエスト部１０の脇まで、略円弧状に配置される。図中の矢印は、より強い伸縮方向を示す。補強部３は縦方向に伸縮が弱いので、臀部を下方から押し上げて、ヒップアップ効果を発揮できる。
【００１８】
補強部３には、パワーネットが用いられるが、伸縮性を有する編織地であれば適宜選択可能である。補強部３は、裏地２のみに縫着されるため、その縫い目がボトム身生地１の表面に表れず、デザイン性に優れる。補強部３は、その周縁が裏地１に縫着されており、糸抜けを防止できる。その縫い付け方は適宜選択可能であるが、３点千鳥縫いの手法を用いれば、ボトム身生地１及び裏地２の伸縮に追従できる。図中のａは、その縫い目を示す。補強部は、裏地の表面に縫着してもよいが、裏地の裏面に縫着したほうが補強部の外縁がスパッツの外観に表れにくいので好ましい。
【００１９】
なお、補強部３は、臀部に限らず、他の箇所に設けてもよい。例えば、腹部に、上下方向に伸縮して、横方向に伸びない補強部を縫合すれば、腹部の出を押さえることができる。また、パーツの枚数を増やして、矯正の強度を大きくするようにしてもよい。
【００２０】
上記のような各パーツの縫合については、ボトム身生地１の右身頃４と左身頃５とを前及び後中心で縫合する際に、補強部３が縫合された裏地２の右身頃６及び左身頃７を重ねて同時に縫合する。このとき、裏地２の裾９に、ヘム組織８が位置するようにする。そして、ボトム身生地１及び裏地２のウエスト部１０を重ねて内側に折り返すと共にその折り返し部分にゴム挿入して縫製する。なお、あらかじめ裏地２の右身頃６と左身頃７とを前及び後中心で縫合しておき、ボトム身生地１とウエスト部１０のみで縫合するようにしてもよい。
【００２１】
なお、本発明は上記実施形態に限定されるものではなく、本発明の範囲内で上記実施形態に多くの修正及び変更を加え得ることは勿論である。例えば、上記実施形態では、スパッツを例示したが、体にフィットするボトムに好適であり、例えば、トレンカ、カルソン、ジョッパーズ、水着等種々のボトムに適応可能である。
【００２２】
【発明の効果】
以上の説明から明らかな通り、本発明によると、裏地の上端をボトム身生地のウエスト部に縫着し、下端をヘム組織としているので、裏地に縁取りを施す必要がなく、裏地を平坦なものとできる。したがって、ボトム着用時に、裏地の縁のラインが外観に表れにくいので、ボトム身生地に薄手の素材を採用することができる。また、縁取りを施す必要がないことから、作業の簡素化が図れる。
【００２３】
裏地には、その体形補整機能を補強するために、伸縮性を有する編織地からなる補強部が縫着されている。伸縮性を有する編織地は、上記と同様のものとする。補強部の伸縮方向は、裏地と同一方向に設定して裏地の体形補整機能を補強するようにしてもよいし、異なる方向に設定して、他の部分の体形を矯正するようにしてもよい。
【００２４】
臀部に設ける場合は、臀部を囲むように臀部の下部付近からウエスト部の脇部分にかけて曲線状に形成し、臀部をその中心に寄せる方向に伸縮性を備えるようにすれば、ヒップアップ効果を期待できる。
【００２５】
裏地の裾は、脚の付根より下まで延長れる。このように設定すれば、ボトムの中に着用するショーツ等の下端のラインがボトムの外観に表れるのを防ぐことができる。また、裏地の裾が短いと歩行時に裏地の裾がめくりあがってきやすいが、脚の付根より下方へ延長することにより、裾のめくりあがりをおこりにくくできる。
【図面の簡単な説明】
【図１】本発明の１実施形態を示すスパッツの表面の正面図
【図２】同じくスパッツの裏面の後面図
【図３】同じくスパッツの裏面の側面図
【図４】ヘム組織を示す図
【符号の説明】
１    ボトム身生地
２    裏地
３    補強部
４    ボトム身生地の右身頃
５    ボトム身生地の左身頃
６    裏地の右身頃
７    裏地の左身頃
８    ヘム組織
９    裏地の裾
１０  ウエスト部
【図１】
0003645840.tif 000002
【図２】
0003645840.tif 000003
【図３】
0003645840.tif 000004
【図４】
0003645840.tif 000005